(57)【要約】【課題】輸送先における商品陳列作業を省略でき、しかも部材点数を極力少なくしつつ、梱包箱内における商品の移動を効果的に規制可能な梱包体を提供する。【解決手段】ハンガー部材２に商品Ｇを引っ掛けた状態で、陳列用台紙３とともに商品Ｇを収容する梱包箱１０を備えた梱包体１であって、梱包箱１０内における商品Ｇの移動を規制する移動規制手段２０として、第１仕切り部材２１と第２仕切り部材２２とを設け、第１仕切り部材２１に、梱包箱１０の高さ方向への商品Ｇの移動を規制する押え部２１ｃと、梱包箱１０の前後方向への商品Ｇの移動を規制する１対の縦壁部２１ａとを形成し、第２仕切り部材２２に、その両側に配置される商品Ｇの側方への移動を規制する１対の縦壁部２２ａを形成するとともに、該縦壁部２２ａに、第１仕切り部材２１に上側から嵌合する嵌合切欠部２２ｃを形成した。【選択図】図２
2013100120.tif 000002
【特許請求の範囲】
【請求項１】
複数のハンガー部材を突出状に設けた陳列用台紙と、陳列用台紙に陳列される商品と、前記陳列用台紙の陳列状態での上下方向が前後方向となるように、前記ハンガー部材に商品を引っ掛けた状態で、陳列用台紙とともに商品を収容する梱包箱とを備えた梱包体であって、
前記梱包箱内における商品の移動を規制する移動規制手段として、
前記梱包箱の前後方向の途中部に、前記ハンガー部材に対応させて、前記梱包箱の左右方向に延びる第１仕切り部材を設け、
前記梱包箱の左右方向の途中部に、前記梱包箱の前後方向の全長にわたって延びる第２仕切り部材を設け、
前記第１仕切り部材に、前記梱包箱の高さ方向への商品の移動を規制する押え部と、前記梱包箱の前後方向への商品の移動を規制する１対の縦壁部とを形成し、
前記第２仕切り部材に、その両側に配置される商品の側方への移動を規制する１対の縦壁部を形成するとともに、該縦壁部に、前記第１仕切り部材の左右方向の途中部に上側から嵌合して、前記梱包箱の前後方向及び高さ方向への第１仕切り部材の移動を規制する嵌合切欠部を形成した、
ことを特徴とする梱包体。
【請求項２】
前記第２仕切り部材を梱包箱の少なくとも左右方向の中央部に設けた請求項１記載の梱包箱。
【請求項３】
前記押え部にハンガー部材が挿通する挿通孔を形成した請求項１又は２記載の梱包体。
【請求項４】
前記押え部が、前記第１仕切り部材の縦壁部を切り起こして、該縦壁部の上端部から側方へ突出状に設けられている請求項１〜３のいずれか１項記載の梱包体。
【請求項５】
前記第１仕切り部材及び第２仕切り部材を断面倒立Ｕ字状に形成した請求項１〜４のいずれか１項記載の梱包体。
【請求項６】
前記梱包箱の前後方向に延びる１対の側壁部と商品間の隙間に装填されて、該商品の側方への移動を規制する側部規制部材を設けた請求項１〜５のいずれか１項記載の梱包体。
【請求項７】
前記ハンガー部材を梱包箱の左右方向に奇数個設け、少なくとも左右方向の中央部のハンガー部材に引っ掛ける商品を第２仕切り部の内側に配置した請求項１〜６のいずれか１項記載の梱包体。
【発明の詳細な説明】
【技術分野】
【０００１】
本発明は、ハンガー部材を突出状に設けた陳列用台紙と、それに陳列する複数の商品とを梱包箱に収容してなる梱包体に関するものである。
【背景技術】
【０００２】
商店等における商品の陳列方法として、複数のハンガー部材を突出状に設けた陳列用台紙を壁等に吊り下げて、該陳列用台紙のハンガー部材に商品を引っ掛けて、商品を陳列する陳列方法が広く採用されている。
【０００３】
ところで、前述のような陳列用台紙及び商品を店舗へ輸送する際には、梱包箱に陳列用台紙を収納し、隣接するハンガー部材間やハンガー部材と梱包箱の側壁間の隙間に商品を装填して輸送する方法が一般的に採用されている。
【０００４】
ところが、このように梱包して陳列用台紙及び商品を輸送する場合には、各店舗において、輸送された梱包箱を開いて、梱包箱から陳列用台紙及び商品を取り出し、陳列用台紙のハンガー部材に商品を順次引っ掛けて陳列する必要があり、各店舗における商品の陳列作業が煩雑になるという問題があった。
【０００５】
そこで、梱包箱に組立可能な陳列用台紙を用い、該陳列用台紙のフックに商品を引っ掛けた状態で、該陳列用台紙を梱包箱に組み立てて、商品を梱包可能となした梱包箱兼用フック板が提案されている（例えば、特許文献１、２参照。）。
【先行技術文献】
【特許文献】
【０００６】
【特許文献１】特開平１１−１２２５号公報
【特許文献２】実開昭５８−１７１８１９号公報
【発明の概要】
【発明が解決しようとする課題】
【０００７】
前記特許文献１、２に記載の発明では、予めフックに吊り下げられた状態で陳列用台紙に商品が梱包されているので、梱包箱を展開して、これをそのまま吊り下げることで、商品を陳列することができ、陳列用台紙のフックに商品を引っ掛けて陳列するという、各店舗における煩雑な作業が不要となる。しかし、梱包状態における商品の移動は、フックとの係合のみにより規制されているので、輸送時の振動で、商品がフックから脱落したり、商品の引っ掛け孔やフックが破損したり、商品と陳列用台紙との接触や商品同士の接触により、商品の表面が傷ついたりするという問題の発生が懸念される。また、陳列用台紙が梱包箱を兼ねているので、輸送時に梱包箱が傷つくと、これを陳列用台紙として使用できなくなることも考えられる。
【０００８】
本発明の目的は、輸送先における商品陳列作業を省略でき、しかも部材点数を極力少なくしつつ、梱包箱内における商品の移動を効果的に規制可能な梱包体を提供することである。
【課題を解決するための手段】
【０００９】
本発明に係る梱包体は、複数のハンガー部材を突出状に設けた陳列用台紙と、陳列用台紙に陳列される商品と、前記陳列用台紙の陳列状態での上下方向が前後方向となるように、前記ハンガー部材に商品を引っ掛けた状態で、陳列用台紙とともに商品を収容する梱包箱とを備えた梱包体であって、前記梱包箱内における商品の移動を規制する移動規制手段として、前記梱包箱の前後方向の途中部に、前記ハンガー部材に対応させて、前記梱包箱の左右方向に延びる第１仕切り部材を設け、前記梱包箱の左右方向の途中部に、前記梱包箱の前後方向の全長にわたって延びる第２仕切り部材を設け、前記第１仕切り部材に、前記梱包箱の高さ方向への商品の移動を規制する押え部と、前記梱包箱の前後方向への商品の移動を規制する１対の縦壁部とを形成し、前記第２仕切り部材に、その両側に配置される商品の側方への移動を規制する１対の縦壁部を形成するとともに、該縦壁部に、前記第１仕切り部材の左右方向の途中部に上側から嵌合して、前記梱包箱の前後方向及び高さ方向への第１仕切り部材の移動を規制する嵌合切欠部を形成したものである。
【００１０】
この梱包体を組み立てる際には、先ずハンガー部材に商品を引っ掛けた状態で、商品を陳列用台紙とともに梱包箱に装填するか、陳列用台紙を梱包箱に装填した状態で、ハンガー部材に商品を引っ掛けて、商品を陳列用台紙とともに梱包箱に装填する。次に、第１仕切り部材を梱包箱に左右方向に組み付けて、第１仕切り部材の押え部で商品を上側から押さえるとともに、第２仕切り部材の嵌合切欠部を第１仕切り部材の途中部に嵌合させて、第２仕切り部材を梱包箱の左右方向の途中部に前後方向に組み付け、上面フラップを閉塞して、梱包体を組み立てることになる。
【００１１】
このように、この梱包体では、陳列用台紙のハンガー部材に商品を引っ掛けた状態で、陳列用台紙及び商品が梱包箱に梱包されているので、店舗等へ梱包体を輸送した後は、梱包箱を開封して、商品を吊り下げた状態で陳列用台紙を取り出して、これをそのまま陳列することができ、陳列用台紙のハンガー部材に対して商品を引っ掛けるという、輸送先での陳列作業が不要となる。しかも、移動規制手段として、第１仕切り部材と第２仕切り部材の２種類の仕切り部材を設けることで、梱包箱の前後方向への商品の移動を第１仕切り部材の縦壁部で受け止め、梱包箱の高さ方向への商品の移動を第１仕切り部材の押え部で受け止め、梱包箱の左右方向への商品の移動を第２仕切り部材の縦壁部で受け止めることができるので、部材点数を極力少なくしつつ、商品の移動を効果的に受け止めて、輸送時等の振動による商品及びパッケージの破損や、商品の引っ掛け孔の破損を効果的に防止できる。また、梱包箱の左右方向の途中部に梱包箱の前後方向の全長にわたって延びる第２仕切り部材を設けることで、梱包箱を積み重ねたときの荷重を第２仕切り部材で受け止めることができるので、梱包体の上載荷重に対する強度剛性を容易に高めることができる。
【００１２】
ここで、前記第２仕切り部材を梱包箱の少なくとも左右方向の中央部に設けることが好ましい実施の形態である。この場合には、梱包箱をカッターナイフで開封するときに、カッターナイフで商品を傷つけるという不具合を効果的に防止できる。つまり、梱包箱の上面の封止構造として、梱包箱の左右両側に前後方向に延びる１対の上面フラップを設け、両上面フラップの遊端部を梱包箱の中央部で突き合わせて、上側から粘着テープを貼り付けて封止するという封止構成が一般的に採用されているが、梱包箱の少なくとも左右方向の中央部に、梱包箱の前後方向の全長にわたって延びる第２仕切り部材を設けているので、上面フラップの突き合わせ部分に沿ってカッターナイフで梱包箱を開封するときに、該第２仕切り部材の上面でカッターナイフの刃先を受け止めて、カッターナイフで商品が傷つけられるという不具合を効果的に防止できる。
【００１３】
前記押え部にハンガー部材が挿通する挿通孔を形成することが好ましい実施の形態である。つまり、ハンガー部材には商品の引っ掛け孔が挿通されているので、押え部にハンガー部材が挿通する挿通孔を形成することで、商品の引っ掛け孔付近の上側に押え部を確実に配置させて、ハンガー部材に沿った商品の上下方向への移動を押え部で確実に受け止めることができる。また、ハンガー部材により第１仕切り部材の側方への移動が規制されるので、第１仕切り部材により一層安定的に商品を保持できる。
【００１４】
前記押え部が、前記第１仕切り部材の縦壁部を切り起こして、該縦壁部の上端部から側方へ突出状に設けられていることが好ましい。このように構成することで、縦壁部から側方へ突出する押え部を容易に形成することができる。
【００１５】
前記第１仕切り部材及び第２仕切り部材を断面倒立Ｕ字状に形成することが好ましい実施の形態である。このように構成すると、第１仕切り部材及び第２仕切り部材の構成を極力簡単にしてその製作コストを安くできる。
【００１６】
前記梱包箱の前後方向に延びる１対の側壁部と商品間の隙間に装填されて、該商品の側方への移動を規制する側部規制部材を設けることが好ましい実施の形態である。この場合には、梱包箱の側壁部と商品間に隙間が形成される場合でも、該隙間に側部規制部材を装填するという簡単な構成で、梱包箱の左右方向への商品の移動を規制できる。
【００１７】
前記ハンガー部材を梱包箱の左右方向に奇数個設け、少なくとも左右方向の中央部のハンガー部材に引っ掛ける商品を第２仕切り部の内側に配置することが好ましい実施の形態である。この場合には、梱包箱をカッターナイフで開封するときに、左右方向の中央部に梱包される商品をカッターナイフで傷つけるという不具合を第２仕切り部材により確実に防止しつつ、陳列用台紙の左右方向に奇数個の商品を吊るすことが可能となる。
【発明の効果】
【００１８】
本発明に係る梱包体によれば、陳列用台紙のハンガー部材に商品を引っ掛けた状態で、陳列用台紙及び商品が梱包箱に梱包されているので、店舗等へ梱包体を輸送した後は、梱包箱を開封して、商品を吊り下げた状態で陳列用台紙を取り出して、これをそのまま陳列することができ、陳列用台紙のハンガー部材に対して商品を引っ掛けるという、輸送先での陳列作業が不要となる。しかも、移動規制手段として、第１仕切り部材と第２仕切り部材の２種類の仕切り部材を設けることで、梱包箱の前後方向への商品の移動を第１仕切り部材の縦壁部で受け止め、梱包箱の高さ方向への商品の移動を第１仕切り部材の押え部で受け止め、梱包箱の左右方向への商品の移動を第２仕切り部材の縦壁部で受け止めることができるので、部材点数を極力少なくしつつ、商品の移動を効果的に受け止めて、輸送時等の振動による商品及びパッケージの破損や、商品の引っ掛け孔の破損を効果的に防止できる。また、梱包箱の左右方向の途中部に梱包箱の前後方向の全長にわたって延びる第２仕切り部材を設けることで、梱包箱を積み重ねたときの荷重を第２仕切り部材で受け止めることができるので、梱包体の上載荷重に対する強度剛性を容易に高めることができる。
【図面の簡単な説明】
【００１９】
【図１】上面フラップを開放した状態での梱包体の斜視図
【図２】梱包体の分解斜視図
【図３】図１のIII-III線断面図
【図４】図１のIV-IV線断面図
【図５】第１仕切り部材の（ａ）は斜視図、（ｂ）は展開状態の斜視図
【図６】第２仕切り部材の（ａ）は斜視図、（ｂ）は展開状態の斜視図
【図７】側部規制部材の（ａ）は斜視図、（ｂ）は展開状態の斜視図
【図８】他の構成の梱包体の図４相当図
【発明を実施するための形態】
【００２０】
以下、本発明を実施するための形態について、図面を参照しながら説明する。
図１〜図７に示すように、梱包体１は、複数のハンガー部材２を突出状に設けた陳列用台紙３と、陳列用台紙３に陳列される商品Ｇと、ハンガー部材２に商品Ｇを引っ掛けた状態で陳列用台紙３とともに商品Ｇを収容する梱包箱１０と、梱包箱１０内における商品Ｇの移動を規制する移動規制手段２０とを備えている。なお、本実施の形態では、図１を基準に、前後左右方向及び上下方向を定義して説明する。
【００２１】
（梱包箱）
梱包箱１０は、前後左右の側壁部１１Ｆ、１１Ｂ、１１Ｌ、１１Ｒと、底板１２を構成する前後左右のフラップＬＦ、ＬＢ、ＬＬ、ＬＲと、上板１３を構成する前後左右のフラップＵＦ、ＵＢ、ＵＬ、ＵＲとを備え、前後左右の側壁部１１Ｆ、１１Ｂ、１１Ｌ、１１Ｒにおいて、波板の波の頂部が上下方向に配置されるように、段ボールを用いて製作され、積み重ねたときの荷重に対する強度剛性が高くなるように構成されている。梱包箱１０の平面寸法は、陳列用台紙３の平面寸法と略同じに設定され、陳列用台紙３は、陳列状態での上下方向が梱包箱１０の前後方向となるように、梱包箱１０内に略隙間なく収容される。梱包箱１０の深さは、ハンガー部材２の長さよりもやや深く構成され、ハンガー部材２を取り外すことなく陳列用台紙３を梱包箱１０に収納して上面開口を閉塞できるように構成されている。なお、本実施の形態において、「段ボール」とは、Ａフルートタイプの段ボール、Ｂフルートタイプの段ボール、Ｅフルートタイプの段ボール、ダブルフルートタイプの段ボールを総称したものを意味しており、本実施の形態では、いずれのタイプの段ボールを採用することも可能である。
【００２２】
梱包箱１０の底板１２は、前後のフラップＬＦ、ＬＢを内側へ折り曲げた後、左右のフラップＬＬ、ＬＲを内側へ折り曲げて、左右のフラップＬＬ、ＬＲを前後のフラップＬＦ、ＬＢの下側に重ね合わせるとともに、その遊端部を突き合わせて、左右のフラップＬＬ、ＬＲの遊端部の下面にわたって粘着テープなどを貼り付けることで、梱包箱１０の下面開口を閉塞するように組み立てられている。
【００２３】
梱包箱１０の上板１３は、前後のフラップＵＦ、ＵＢを内側へ折り曲げた後、左右のフラップＵＬ、ＵＲを内側へ折り曲げて、左右のフラップＵＬ、ＵＲを前後のフラップＵＦ、ＵＢの上側に重ね合わせるとともに、その遊端部を突き合わせて、左右のフラップＵＬ、ＵＲの遊端部の上面にわたって粘着テープなどを貼り付けることで、梱包箱１０の上面開口を閉塞するように組み立てられる。
【００２４】
なお、梱包箱１０としては、上記以外の周知の構成のものを採用することができる。また、梱包箱１０の大きさは、収納する陳列用台紙３の大きさや商品Ｇの大きさや個数などに応じて適宜に設定することができる。更に、本実施の形態では、陳列状態で上下方向に細長い陳列用台紙３を用いたので、陳列用台紙３の上下方向が梱包箱１０の前後方向になるように、梱包箱１０に陳列用台紙３を収納したが、陳列状態で左右方向に細長い陳列用台紙を用いる場合には、該陳列用台紙の陳列状態での上下方向が、梱包箱の幅方向となるように、陳列用台紙及び商品を梱包箱に収納することになる。また、正方形状の陳列用台紙を用いる場合には、梱包箱の平面形状を正方形に形成することになる。
【００２５】
（陳列用台紙）
陳列用台紙３は、厚紙や合成樹脂板からなる平板状の台紙本体４と、台紙本体４に突出状に取り付けた複数のハンガー部材２とで構成され、台紙本体４の上部に取り付けた吊紐５を壁等に取り付けたフックに引っ掛けて、台紙本体４を壁に沿って縦向きに吊り下げるとともに、複数のハンガー部材２に商品Ｇを吊り下げて、商品Ｇを陳列するように構成したものである。なお、台紙本体４に対するハンガー部材２の取付構造としては、嵌め込み式やねじ込み式や接着剤による接着式などの任意の取付構造を採用することができる。
【００２６】
ハンガー部材２は、合成樹脂材料や金属材料からなる棒状部材で構成され、陳列用台紙３に対して前後方向及び左右方向に複数行複数列設けられている。図２に示す陳列用台紙３では、前後方向に２行、左右方向に２列、計４個のハンガー部材２が設けられている。ただし、ハンガー部材２の行数及び列数は、陳列用台紙３の大きさや吊り下げる商品Ｇの大きさなどに応じて任意に設定できる。
【００２７】
ハンガー部材２に商品Ｇを吊り下げて陳列した状態で、左右に隣接する商品Ｇ間には、ハンガー部材２に吊り下げた商品Ｇを容易に取り出すことができるように、少なくとも指を挿入可能な大きさの隙間が形成され、また、上下に隣接する商品Ｇ間にも、上下に陳列した商品Ｇが相互に干渉しないように隙間が形成されている。
【００２８】
陳列用台紙３に陳列する商品Ｇとしては、ハンガー部材２に吊り下げ可能な吊孔Ｈやフックを有する任意の構成のものを採用できる。１本のハンガー部材２に吊り下げ可能な商品Ｇの個数は、本実施形態では３個に設定したが、任意の個数に設定可能である。また、陳列用台紙３の全てのハンガー部材２に同じ商品Ｇを陳列することもできるが、ハンガー部材２毎に或いはハンガー部材２の列毎又は行毎に異種の商品Ｇを陳列することもできる。本実施の形態では、前側（上段）のハンガー部材２に樹脂ケースに収容した歯間ブラシを陳列し、後側（下段）のハンガー部材２にブリスターケースに収納した歯間ブラシを陳列できるように構成した。
【００２９】
（移動規制手段）
移動規制手段２０は、ハンガー部材２に対応させて梱包箱１０の前後方向の途中部に、梱包箱１０の左右方向に設けた第１仕切り部材２１と、梱包箱１０の少なくとも左右方向の中央部に、梱包箱１０の前後方向の全長にわたって設けた第２仕切り部材２２と、梱包箱１０の左右の側壁部１１Ｌ、１１Ｒの内側に沿って設けた側部規制部材２３とを備えている。
【００３０】
（第１仕切り部材）
第１仕切り部材２１は、図１〜図５に示すように、平行配置される１対の縦壁部２１ａと、縦壁部２１ａの上端部を連結する横壁部２１ｂとを有する倒立Ｕ字状の部材からなり、各行のハンガー部材２に対応させてその前側に左右方向に設けられている。なお、第１仕切り部材２１の個数は、ハンガー部材２の行数と同じ個数に設定することになる。
【００３１】
横壁部２１ｂの幅は上下に配置される商品Ｇ間の隙間と略同じに設定され、縦壁部２１ａにより前後両側の商品Ｇの前後方向への移動が規制されるように構成されている。
【００３２】
第１仕切り部材２１の横壁部２１ｂの前縁部及び後縁部には左右１対の押え部２１ｃが左右に配置される商品Ｇに対応させてそれぞれ設けられ、前側１対の押え部２１ｃは前側の縦壁部２１ａを切り起こして横壁部２１ｂに連なって前方へ突出状に形成され、後側１対の押え部２１ｃは後側の縦壁部２１ａを切り起こして横壁部２１ｂに連なって後方へ突出状に形成されている。横壁部２１ｂの高さは、１本のハンガー部材２に引っ掛けられる複数の商品Ｇの合計高さと略同じに設定され、後側の押え部２１ｃにより商品Ｇの後側の上方への移動が規制され、前側の押え部２１ｃにより商品Ｇの前側の上方への移動が規制される。
【００３３】
押え部２１ｃの基部にはハンガー部材２が挿通する前後方向に細長い挿通孔２１ｄが形成され、第１仕切り部材２１は、後側の挿通孔２１ｄにハンガー部材２を挿通させて梱包箱１０に組み付けられている。なお、最も前側に配置される第１仕切り部材２１には、前側の押え部２１ｃを省略することができるが、梱包体１を構成する部材の種類を極力減らすべく、商品Ｇ間に配置される第１仕切り部材２１と同一構成を採用することが好ましい。また、挿通孔２１ｄは、少なくとも後側の押え部２１ｃの基部にのみ設けてあればよいが、第１仕切り部材２１の前後を逆にしても組み付けることが可能となり、梱包体１の組立性を向上できるので、前側の押え部２１ｃの基部にも設けることが好ましい。更に、挿通孔２１ｄに代えて、ハンガー部材２が挿通する切込部を押え部２１ｃに形成することも可能である。
【００３４】
第１仕切り部材２１は、図５（ｂ）に示すように、長方形平板状の第１段ボール２１Ａを断面倒立Ｕ字状に折り曲げて製作されている。第１段ボール２１Ａとしては、前後方向の略三等分位置に折曲線２１eを左右方向に形成するとともに、折曲線２１eの途中部に縦壁部２１ａ側へ突出するＵ字状の左右１対の切込線２１ｆを折曲線２１eに連ねてそれぞれ形成したものを採用でき、折曲線２１eに沿って第１段ボール２１Ａを倒立Ｕ字状に折り曲げることで、切込線２１ｆに沿って押え部２１ｃが切り起し形成されるように構成されている。第１段ボール２１Ａは、波形に成形した中芯の波の頂部が縦壁部２１ａの高さ方向に沿って配置されるように成形されている。
【００３５】
（第２仕切り部材）
第２仕切り部材２２は、図１〜図４、図６に示すように、平行配置される１対の縦壁部２２ａと、縦壁部２２ａの上端部を連結する横壁部２２ｂとを有する倒立Ｕ字状の部材からなり、第１仕切り部材２１の左右方向の途中部に形成した嵌合切欠部２２ｃを、第１仕切り部材２１の左右方向の途中部に上側から嵌合させて、左右１対の商品Ｇ間において梱包箱１０の左右方向の途中部に、梱包箱１０の前後方向の全長にわたって設けられている。なお、本実施の形態では、左右１対の商品Ｇ間に１つだけ第２仕切り部材２２を設けたが、商品Ｇを左右方向に３個以上設ける場合には、左右に隣接する商品Ｇ間に第２仕切り部材２２をそれぞれ設けることになる。
【００３６】
第２仕切り部材２２の長さは、梱包箱１０の内面の前後方向の全長にわたる長さに設定され、第２仕切り部材２２の高さは、梱包箱１０の深さと略同じに設定され、梱包箱１０に第２仕切り部材２２を装填した状態で、梱包箱１０に前後方向及び上下方向に移動しないように組み付けられるように構成されている。また、第２仕切り部材２２の高さを梱包箱１０の深さと略同じに設定することで、梱包箱を積み重ねたときの荷重を第２仕切り部材２２で受け止めることが可能となり、梱包体１の上載荷重に対する強度剛性を向上できるので好ましい。第２仕切り部材２２の幅は、左右に隣接する商品Ｇ間の隙間と同じ幅に設定され、左右に隣接する商品Ｇ間に第２仕切り部材２２を装填した状態で、両商品Ｇの相互に接近する方向への移動が、第２仕切り部材２２の縦壁部２２ａで規制されるように構成されている。嵌合切欠部２２ｃは第１仕切り部材２１が略隙間なく嵌合可能な大きさに構成され、嵌合切欠部２２ｃを第２仕切り部材２２に嵌合させて上側のフラップＵＦ、ＵＢ、ＵＬ、ＵＲを閉じた状態で、梱包箱１０の前後方向及び高さ方向への第１仕切り部材２１の移動が規制されるように構成されている。
【００３７】
第２仕切り部材２２は、図６（ｂ）に示すような細長い長方形状の第２段ボール２２Ａを、左右方向の中央部に相互に間隔をあけて平行配置した２本の折目線２２ｄに沿って倒立Ｕ字状に折り曲げて製作されている。第２段ボール２２Ａは、波形に成形した中芯の波の頂部が縦壁部２１ａの高さ方向に沿って配置されるように成形されている。
【００３８】
第２仕切り部材２２は、梱包箱１０の少なくとも左右方向の中央部に設けることが好ましい。このように構成すると、梱包箱１０をカッターナイフで開封するときに、カッターナイフで商品Ｇを傷つけるという不具合を効果的に防止できる。つまり、梱包箱１０の上面は、左右１対のフラップＵＬ、ＵＲを内側へ折り曲げて、両フラップＵＬ、ＵＲの遊端部を梱包箱１０の左右方向の中央部で突き合わせ、上側から粘着テープを貼り付けて封止しているが、梱包箱１０の少なくとも左右方向の中央部に、梱包箱１０の前後方向の全長にわたって延びる第２仕切り部材２２を設けているので、突き合わせ部分に沿ってカッターナイフで粘着テープを切り裂いて梱包箱１０を開封するときに、該第２仕切り部材２２により、カッターナイフの刃先を受け止めることができ、カッターナイフで商品Ｇを傷つけるという不具合を効果的に防止できる。
【００３９】
陳列用台紙３に左右方向に陳列される商品Ｇの個数が偶数個の場合には、左右に隣接する商品Ｇ間に第２仕切り部材２２を設けることで、第２仕切り部材２２を梱包箱１０の少なくとも左右方向の中央部に設けることができるが、陳列用台紙３に左右方向に陳列される商品Ｇの個数が奇数個の場合には、商品Ｇ間にのみ第２仕切り部材２２を設けると、梱包体１の左右方向の中央部に商品Ｇが配置される。そこで、陳列用台紙３に左右方向に陳列される商品Ｇの個数が奇数個の場合には、少なくとも左右方向の中央部に配置される商品Ｇに関しては、それを外嵌するように第２仕切り部材を設け、梱包体をカッターナイフで開封するときに、カッターナイフで商品Ｇを傷つけるという不具合を防止しつつ、該商品Ｇの側方への移動を規制することになる。具体的には、図８に示す梱包体３０のように、左右方向に３個の商品Ｇを吊り下げ可能な陳列用台紙３Ｂを用いる場合には、左右方向の中央部に配置される商品Ｇを左右方向に隙間なく外嵌するように第２仕切り部材２２Ｂを設け、第２仕切り部材２２Ｂのその両側の商品Ｇ間に１乃至複数の側部規制部材２３を装填し、第１仕切り部材２１に代えて、左右方向に配置される３個の商品Ｇに対応させて３つの押え部２１ｃと挿通孔２１ｄを形成した第１仕切り部材２１Ｂを用いることになる。
【００４０】
（側部規制部材）
側部規制部材２３は、図１〜図４、図７に示すように、細長い長方形の平板状の部材で構成され、梱包箱１０の左右の側壁部１１Ｌ、１１Ｒの内側に沿って、左右の側壁部１１Ｌ、１１Ｒと商品Ｇ間に略隙間なく装填されている。
【００４１】
側部規制部材２３の長さは梱包箱１０の内側の前後方向の長さを略同じに設定され、高さは梱包箱１０の深さと略同じに設定され、梱包体１を積み重ねたときの荷重を左右の側部規制部材２３で受け止めて、梱包体１の上載荷重に対する強度剛性を向上できるように構成されている。
【００４２】
側部規制部材２３は、図７（ｂ）に示すような細長い長方形状の第３段ボール２３Ａを、左右方向の中央部に形成したハーフカットからなる折目線２３ａに沿って２つ折りにすることで製作されている。第３段ボール２３Ａは、波形に成形した中芯の波の頂部が、梱包箱１０に組み込んだ状態での側部規制部材２３の高さ方向に沿って配置されるように成形されている。なお、側部規制部材２３としては、ハーフカットからなる折目線２３ａを形成した段ボールからなるものを用いることが、安価に製作でき、組立作業性に優れていることから好ましいが、ハーフカットに代えて、ミシン目や折り目などからなる折目線２３ａを形成したものを採用することもできるし、折目線２３ａを省略して、左右の側壁部１１Ｌ、１１Ｒと商品Ｇ間の隙間に適合する枚数の段ボールを用いることもできるし、複数枚の段ボールを接着剤で貼り合せた段ボールを用いることもできる。更に、側部規制部材２３としては、左右の側壁部１１Ｌ、１１Ｒと商品Ｇ間に隙間なく装填できるものであれば、段ボール以外の素材からなるもの、例えば合成樹脂の発泡体などからなる細長い板状部材を採用することもできる。ただし、左右の側壁部１１Ｌ、１１Ｒと商品Ｇ間に隙間が形成されない場合には、この側部規制部材２３は省略することができる。
【００４３】
次に、梱包体１の使用方法について説明する。
この梱包体１を組み立てる際には、先ずハンガー部材２に商品Ｇを引っ掛けた状態で、商品Ｇを陳列用台紙３とともに梱包箱１０に装填するか、陳列用台紙３を梱包箱１０に装填した状態で、ハンガー部材２に商品Ｇを引っ掛けて、商品Ｇを陳列用台紙３とともに梱包箱１０に装填する。次に、ハンガー部材２が挿通孔２１ｄを挿通するように、第１仕切り部材２１を梱包箱１０に左右方向に組み付けて、第１仕切り部材２１の押え部２１ｃで商品Ｇを上側から押さえる。次に、第２仕切り部材２２の嵌合切欠部２２ｃを第１仕切り部材２１の途中部に嵌合させて、第２仕切り部材２２を梱包箱１０の左右方向の途中部に前後方向に組み付けるとともに、左右の側部規制部材２３を商品Ｇと梱包箱１０の左右の側壁部１１Ｌ、１１Ｒ間に装填する。次に、フラップＵＦ、ＵＢ、ＵＬ、ＵＲを閉じて、左右のフラップＵＬ、ＵＲの遊端部の上面にわたって粘着テープを貼り付けて、梱包体１を組み立てることになる。
【００４４】
一方、梱包体１に収納した商品Ｇを陳列する際には、先ずフラップＵＦ、ＵＢ、ＵＬ、ＵＲを開いて梱包体１を開封する。このとき、例えば左右のフラップＵＬ、ＵＲの突き合わせ部分に沿って、カッターナイフで粘着テープを切り裂いて開封した場合でも、フラップＵＬ、ＵＲの突き合わせ部分の下側側には第２仕切り部材２２の横壁部２２ｂが配置されるので、カッターナイフの先端部で商品Ｇを傷けることが防止される。次に、側部規制部材２３を取り外すとともに、第２仕切り部材２２を取り外した後、第１仕切り部材２１を取外し、ハンガー部材２に商品Ｇを引っ掛けた状態で、陳列用台紙３を梱包箱１０から取り出し、吊紐５を壁等のフックに引っ掛けてハンガー部材２に引っ掛けた状態で商品Ｇを陳列することになる。
【００４５】
このように、この梱包体１では、陳列用台紙３のハンガー部材２に商品Ｇを引っ掛けた状態で、陳列用台紙３及び商品Ｇが梱包箱１０に梱包されているので、店舗等へ梱包体１を輸送した後は、梱包箱１０を開封して、商品Ｇを吊り下げた状態で陳列用台紙３を取り出して、これをそのまま陳列することができ、陳列用台紙３のハンガー部材２に対して商品Ｇを引っ掛けるという、輸送先での陳列作業が不要となる。しかも、移動規制手段２０として、第２仕切り部材２２と第１仕切り部材２１の２種類の仕切り部材を設けることで、梱包箱１０の左右方向への商品Ｇの移動を第２仕切り部材２２の縦壁部２２ａ及び側部規制部２３で受け止め、梱包箱１０の前後方向への商品Ｇの移動を第１仕切り部材２１の縦壁部２１ａで受け止め、梱包箱１０の高さ方向への商品Ｇの移動を第１仕切り部材２１の押え部２１ｃで受け止めることができるので、部材点数を極力少なくしつつ、商品Ｇの移動を効果的に受け止めて、商品Ｇ及びパッケージの破損や、商品Ｇの引っ掛け孔の破損を効果的に防止できる。また、梱包箱１０の左右方向の途中部に梱包箱１０の前後方向の全長にわたって延びる第２仕切り部材２２を設けているので、積み重ねたときの荷重に対する梱包体１の強度剛性を容易に高めることができる。更に、梱包箱１０をカッターナイフで開封するときに、カッターナイフで商品Ｇを傷つけるという不具合を効果的に防止できる。
【００４６】
以上、本発明の実施形態について説明したが、本発明はこうした前述の実施形態に何ら限定されるものではなく、本発明の要旨を逸脱しない範囲において構成を変更し得ることは勿論である。  
【符号の説明】
【００４７】
Ｇ      商品              Ｈ      吊孔
１      梱包体            ２      ハンガー部材
３      陳列用台紙        ４      台紙本体
５      吊紐
１０    梱包箱
１１Ｆ  側壁部            １１Ｂ  側壁部
１１Ｌ  側壁部            １１Ｒ  側壁部
ＬＦ    フラップ          ＬＢ    フラップ
ＬＬ    フラップ          ＬＲ    フラップ
ＵＦ    フラップ          ＵＢ    フラップ
ＵＬ    フラップ          ＵＲ    フラップ
１２    底板              １３    上板
２０    移動規制手段
２１    第１仕切り部材    ２１ａ  縦壁部
２１ｂ  横壁部            ２１ｃ  押え部
２１ｄ  挿通孔            ２１Ａ  段ボール
２１ｅ  折曲線            ２１ｆ  切込線
２２    第２仕切り部材    ２２ａ  縦壁部
２２ｂ  横壁部            ２２ｃ  嵌合切欠部
２２Ａ  段ボール          ２２ｄ  折目線
２３    側部規制部材      ２３Ａ  段ボール
２３ａ  折目線
３０    梱包体            ３Ｂ    陳列用台紙
２１Ｂ  第１仕切り部材    ２２Ｂ  第２仕切り部材
【図１】
2013100120.tif 000003
【図２】
2013100120.tif 000004
【図３】
2013100120.tif 000005
【図４】
2013100120.tif 000006
【図５】
2013100120.tif 000007
【図６】
2013100120.tif 000008
【図７】
2013100120.tif 000009
【図８】
2013100120.tif 000010